(57)【要約】【課題】  広い被清掃面部分を水切り清掃する場合と狭い被清掃面部分とを水切り清掃する場合とで、清掃ヘッドの向きを変更可能であると共に、何れの向きにも強固に固定することができる柄付き清掃具を得る。【解決手段】  清掃ヘッド３の基台側連結部１２の上面に、第１突条部１３及び第２突条部１４を十字状に形成すると共に、柄側連結部２３の下面に溝状の第１凹溝部２４及び第２凹溝部２５を十字状に形成し、かつ、該柄側連結部２３を開閉自在の第１部分２３ａと第２部分２３ｂとに区分し、レバー２８でこれら両部分２３ａ，２３ｂを開閉操作することにより上記清掃ヘッド３と柄４とを分離して、該清掃ヘッド３の向きを、柄４の左右方向を向く第１位置と、該柄４の前後方向を向く第２位置とに変更可能にする。【選択図】        図１
2005103246.tif 000002
【特許請求の範囲】
【請求項１】
被清掃部を清掃するための一方向に細長い形をした清掃ヘッドと、該清掃ヘッドに斜め上方に向けて取り付けられた柄と、該柄を上記清掃ヘッドに取り付けるための取付機構とを有し、
上記取付機構は、上記清掃ヘッドのヘッド基台に形成された基台側連結部と、上記柄の先端部に形成された柄側連結部とからなっていて、上記基台側連結部には、上記ヘッド基台の長さ方向に延びる第１突条部と、該ヘッド基台の幅方向に延びる第２突条部とが、十字状に組み合わされた形に形成され、これに対して上記柄側連結部には、上記柄の左右方向に延びる第１凹溝部と、該柄の前後方向に延びる第２凹溝部とが、十字状に組み合わされた形に形成され、これらの第１凹溝部及び第２凹溝部と上記第１突条部及び第２突条部とを選択的に嵌合させることにより、上記清掃ヘッドを、長手方向の軸線が上記柄の左右方向を向く第１位置と前後方向を向く第２位置とに方向変更可能とした、
ことを特徴とする柄付き清掃具。
【請求項２】
上記柄側連結部が、上記第１凹溝部の位置で第１部分と第２部分とに区分され、これによって上記第１凹溝部が開閉自在となっており、上記第１部分には上記柄の先端部が連結され、上記第２部分にはレバーが連結され、このレバーで該第２部分を変位させて上記第１凹溝部を割り開くことにより、上記基台側連結部と柄側連結部との連結が解除可能であることを特徴とする請求項１に記載の柄付き清掃具。
【請求項３】
上記基台側連結部の第１突条部及び第２突条部には、それぞれ係止凹部が形成され、これに対して上記柄側連結部の第１部分及び第２部分には、上記係止凹部に係脱自在の係止凸部がそれぞれ形成されており、さらに、上記レバーと柄の先端部との間には、上記第１部分と第２部分とを閉じる方向に向けて付勢するばねが介在していることを特徴とする請求項２に記載の柄付き清掃具。
【請求項４】
上記柄側連結部における第１部分と第２部分とが、上記柄と直交する支軸で回動自在なるように連結され、上記レバーで第２部分を該支軸の回りに回動させることによって上記第１凹溝部を開閉自在としたことを特徴とする請求項２又は３に記載の柄付き清掃具。
【発明の詳細な説明】
【技術分野】
【０００１】
本発明は、厨房のフロアや浴室の床あるいはプールの底などを清掃するのに使用されるデッキブラシや、建物の板張り床（フローリング）を清掃する場合などに使用されるモップやフローリングワイパー、ガラス面に付着した水滴や床面上の水などを除去するのに適した水切りワイパーといったような、清掃ヘッドに柄を取り付けた構造の柄付き清掃具に関するものである。
【背景技術】
【０００２】
この種の柄付き清掃具の一例である上記デッキブラシは、例えば特許文献１に記載されているように、一方向に細長い基台の下面に摺擦用の繊維を植設した清掃ヘッドと、上記基台の上面に斜め上方に向けて傾斜状態に取り付けられた柄とからなっていて、厨房のフロアや浴室の床あるいはプールの底などを清掃するのに使用されている。
【０００３】
ところが、上記従来のデッキブラシは、上記清掃ヘッドが、柄と直交する向きに取り付けられていて、その向きを変更することができないため、フロアの広い平面部分を清掃する場合には特に問題ないが、フロアに設けられている排水溝の狭い溝内をこの溝に沿って清掃ヘッドを動かしながら清掃する場合や、排水口の周辺部分や狭い口縁部分を清掃するような場合には、非常に作業しにくいという欠点があった。このため、清掃ヘッドの向きを少なくとも左右方向と前後方向との２方向に変更できるデッキブラシの出現が望まれている。
【０００４】
一方、柄付き清掃具の他の例であるモップやフローリングワイパーの中には、清掃ヘッドの向きを自由に変更できるものもある。例えば特許文献２には、このように、清掃ヘッドの向きを前後及び左右に自由に変えることができるフローリングワイパー式の清掃具が開示されている。しかし、このような従来の清掃具は、清掃ヘッドを床面に軽く押し付けて清掃するような場合には柄の向きや角度が変わっても特に問題ないが、清掃ヘッドをある程度大きな力で被清掃部に押し付けるような場合には、柄が自由に傾動すると却って使いにくい。
【０００５】
蝶ねじなどの締付手段やボルト・ナットなどの固定手段で柄と清掃ヘッドとを必要な向きに固定するようにしたものもあるが、蝶ねじなどを締め付けた時の摩擦力を利用する前者の方式では、十分な固定力を得ることができないため、作業時に加わる力で清掃ヘッドが回ってしまうことがある。また、ボルト・ナットを用いる後者の方式では、清掃ヘッドの向きを変えるたびに複数のボルト・ナットを着脱しなければならないため、作業が非常に面倒である。
【特許文献１】特開平６−６２９２２号公報
【特許文献２】特開平１０−２２５４０７号公報
【発明の開示】
【発明が解決しようとする課題】
【０００６】
本発明の課題は、清掃対象や清掃状況等に応じて清掃ヘッドの向きを簡単に変更することができると共に、該清掃ヘッドを何れの向きにも強固に固定することができる、使用性に勝れた柄付き清掃具を提供することにある。
【課題を解決するための手段】
【０００７】
上記課題を解決するため本発明の柄付き清掃具は、被清掃部を清掃するための一方向に細長い形をした清掃ヘッドと、該清掃ヘッドに斜め上方に向けて取り付けられた柄と、該柄を上記清掃ヘッドに取り付けるための取付機構とを有し、上記取付機構は、上記清掃ヘッドのヘッド基台に形成された基台側連結部と、上記柄の先端部に形成された柄側連結部とからなっていて、上記基台側連結部には、上記ヘッド基台の長さ方向に延びる第１突条部と、該ヘッド基台の幅方向に延びる第２突条部とが、十字状に組み合わされた形に形成され、これに対して上記柄側連結部には、上記柄の左右方向に延びる第１凹溝部と、該柄の前後方向に延びる第２凹溝部とが、十字状に組み合わされた形に形成され、これらの第１凹溝部及び第２凹溝部と上記第１突条部及び第２突条部とを選択的に嵌合させることにより、上記清掃ヘッドを、長手方向の軸線が上記柄の左右方向を向く第１位置と、該柄の前後方向を向く第２位置とに方向変更可能としたことを特徴とするものである。
【０００８】
本発明においては、上記柄側連結部が、上記第１凹溝部の位置で第１部分と第２部分とに区分され、これによって上記第１凹溝部が開閉自在となっており、上記第１部分には上記柄の先端部が連結され、上記第２部分にはレバーが連結され、このレバーで該第２部分を変位させて上記第１凹溝部を割り開くことにより、上記基台側連結部と柄側連結部との連結が解除可能である。
【０００９】
また、本発明においては、上記基台側連結部の第１突条部及び第２突条部には、それぞれ係止凹部が形成され、これに対して上記柄側連結部の第１部分及び第２部分には、上記係止凹部に係脱自在の係止凸部がそれぞれ形成されており、さらに、上記レバーと柄の先端部との間には、上記第１部分と第２部分とを閉じる方向に向けて付勢するばねが介在している。
【００１０】
更に、本発明においては、上記柄側連結部における第１部分と第２部分とが、上記柄と直交する支軸で回動自在なるように連結され、上記レバーで第２部分を該支軸の回りに回動させることによって上記第１凹溝部が開閉自在である。
【発明の効果】
【００１１】
本発明の柄付き清掃具によれば、清掃ヘッドの向きを、柄の左右方向を向く第１位置と柄の前後方向を向く第２位置とに変更可能としたことにより、被清掃部の状況等に応じて清掃ヘッドを使い易い向きに固定して清掃を行うことができる。しかも、清掃ヘッド側と柄側とに十字状に形成された突条部と凹溝部とを設け、それらを選択的に嵌合させることによって上記２つの位置に固定できるようにしているため、簡単な取付機構によって非常に大きな固定力を得ることができ、ある程度大きな力を加えて作業をしても、清掃ヘッドの向きが変わったり柄の角度が変化したりすることがなく、作業性に勝れる。更に、レバーの操作だけで上記清掃ヘッドと柄とを分離して必要な向きに固定できるようになっているため、方向変更作業が非常に容易である。
【発明を実施するための最良の形態】
【００１２】
図１〜図８は本発明に係る柄付き清掃具の第１実施例を示すもので、この第１実施例の清掃具１Ａは、デッキブラシとして構成されたものである。この清掃具１Ａは、清掃ヘッド３と、この清掃ヘッド３に斜め上方に向けて取り付けられた柄４と、これらの柄４と清掃ヘッド３とを方向変更可能なるように連結するための取付機構５とを有している。
【００１３】
上記清掃ヘッド３は、一方向に細長い実質的に矩形形状をしたヘッド基台１０の下面に、合成樹脂製の多数の繊維１１を植設して形成したもので、これらの繊維１１の毛先の集まりによって、上記ヘッド基台１０よりも周囲に広がった面積の広い平らな毛先面１１ａが形成されている。しかし、この毛先面１１ａは、波形に形成されていても良い。また、上記繊維１１は、厨房のフロアや浴室の床あるいはプールの底などを大きな力を加えてゴシゴシと擦り洗いするものであるため、それに耐え得るだけの腰の強さと剛弾性とを備えた硬質の繊維１１であることが望ましい。なお、上記ヘッド基台１０は木製又は合成樹脂製である。
【００１４】
一方、上記柄４は、木棒又は合成樹脂パイプあるいは金属パイプ等からなる直棒状の柄本体２０と、この柄本体２０の先端部に連結された合成樹脂製の取付部材２１とを有していて、この取付部材２１と上記ヘッド基台とに形成された上記取付機構５により、上記ヘッド基台１０の上面に、該ヘッド基台１０から斜め上方に向けて傾斜状態に延出するように取り付けられている。
【００１５】
上記清掃ヘッド３は、柄４に対する取付位置を、該清掃ヘッド３の長手方向の軸線が柄４の軸線に対して左右方向を向く図１の第１位置と、柄４の軸線に対して前後方向を向く図７の第２位置との、２つの位置に変更することができる。換言すれば、上記第１位置においては、上記清掃ヘッド３の長手方向の軸線と柄４の軸線とが互いに直交する面内に位置し、上記第２位置においては、上記清掃ヘッド３の長手方向の軸線と柄４の軸線とが互いに同じ面内に位置している。このように清掃ヘッドの向きを変更可能とするために、上記取付機構５は以下に述べるような構成を備えている。
【００１６】
即ち、上記清掃ヘッド３のヘッド基台１０の上面中央部には、上記取付機構５の一部を構成する基台側連結部１２が形成されていて、この基台側連結部１２に、十字状に組み合わされた第１及び第２の２つの突条部１３，１４が、第１突条部１３をヘッド基台１０の長さ方向に向けると共に、第２突条部１４をヘッド基台１０の幅方向に向けた状態で形成されている。これらの突条部１３，１４は、互いに同程度の長さを有していて、その長さは上記ヘッド基台１０の幅とほぼ同じかそれより僅かに短い。そして、上記第１突条部１３及び第２突条部１４の両外側面の下端部近くには、これら両突条部が交叉している部分を除く位置にいて係止凹部１５がそれぞれ形成されている。これらの係止凹部１５は、上記突条部１３，１４の外側面に切られた溝によって形成されている。なお、上記突条部１３及び１４は、頂面が丸みを帯びたＵ字形の断面形状を有しているが、頂面が平らな角形の断面形状を有するものであっても良い。
【００１７】
一方、上記柄４の先端の取付部材２１には、上記柄本体２０の先端を挿入して接続するための筒状の接続部２２と、上記清掃ヘッド３の基台側連結部１２と協同して上記取付機構５を構成する柄側連結部２３とが形成されている。この柄側連結部２３は、やや横長の矩形ブロック形をしていて、その横方向長さ即ち柄４の左右方向に沿う長さは、縦方向長さ即ち柄４の前後方向に沿う長さよりも長く形成されている。そして、この柄側連結部２３の下面には、十字状に組み合わされた第１及び第２の２つの溝状をした凹溝部２４，２５が、第１凹溝部２４を柄４の軸線と直交する方向即ち柄４の左右方向に向けると共に、第２凹溝部２５を柄４の延出方向即ち柄の前後方向に向けた状態で形成されている。従って、上記第１凹溝部２４の長さは、上記突条部１４，１５の長さと同じかそれよりやや短く、第２凹溝部２５の長さはそれよりさらに短いことになる。
【００１８】
また、上記柄側連結部２３は、上記第１凹溝部２４の溝底の中央位置で基端側の第１部分２３ａと先端側の第２部分２３ｂとに二分され、このうち第１部分２３ａには、上記柄４の先端部である接続部２２が連結され、他方の第２部分２３ｂには、上記柄４に沿って延びるレバー２８が連結されている。このレバー２８は、上記柄４に対して、先端部が該柄４から次第に離れる方向に傾斜している。そして、上記両部分２３ａ，２３ｂは、上記レバー２８と接続部２２とにそれぞれ形成された軸受部２８ａ，２２ａの位置で、支軸２９により開閉自在なるように連結され、図４に示すように、上記レバー２８を掴んで上記接続部２２側へ回動させることにより、上記第２部分２３ｂを第１部分２３ａから離反させて第１凹溝部２４を２つに割り開くことができるようになっている。また、図５から分かるように、上記軸受部２２ａ，２８ａの位置には、上記支軸２９の回りにばね３０が設けられていて、このばね３０の両端がレバー２８と接続部２２とに当接し、このレバー２８を介して上記第１部分２３ａと第２部分２３ｂとが、相互に接近する方向、すなわち、当接部２３ｃ，２３ｃ同士が相互に当接して上記第１凹溝部２４が正規の溝形に保たれる方向に向けて付勢されている。
【００１９】
上記第１凹溝部２４の左右の溝縁部分には、第２凹溝部２５との交叉部分（第２凹溝部２５が横切る部分）を除くその他の部分に、溝の内側に向けて横向きに張り出す係止凸部２６ａ，２６ｂが形成されている。これらの係止凸部２６ａ，２６ｂは、上記第１部分２３ａと第２部分２３ｂとの互いに相対する位置に形成されていて、上記第１凹溝部２４と上記第１突条部１３又は第２突条部１４とが嵌合したとき、これらの係止凸部２６ａ，２６ｂが上記突条部の係止凹部１５，１５に係合し、該第１凹溝部２４と第１突条部１３又は第２突条部１４とが嵌合状態で固定されるようになっている。上記係止凸部２６ａ，２６ｂと係止凹部１５，１５との係合は、図４に示すように、上記レバー２８で第２部分２３ｂを第１部分２３ａから離反させて第１凹溝部２４を割り開くことにより解除することができる。
【００２０】
上記係止凸部２６ａ，２６ｂは、強度の大きい金属プレート２７ａ，２７ｂの端部により形成されたもので、上記取付部材２１を合成樹脂で成形するとき、Ｌ字形に折り曲げたこの金属プレート２７ａ，２７ｂを、上記係止凸部２６ａ，２６ｂとなる端部を第１凹溝部２４内に突出させた状態で樹脂内に埋設して形成したものである。なお、上記第２凹溝部２５の溝縁部分にも同様の係止凸部を設けても良いが、この場合には、後述するように清掃ヘッド３の向きを変えるに当たって柄側連結部２３と基台側連結部１２とを着脱する際に、この第２凹溝部２５の係止凸部が邪魔にならないように工夫する必要がある。
【００２１】
上記構成を有する清掃具１Ａで、被清掃部例えば厨房のフロアや浴室の床あるいはプールの底などの比較的に広い面部分を清掃するときは、図１に示すように、清掃ヘッド３を柄４と直交する第１位置に取り付け、その状態で清掃を行う。このとき、上記柄４と清掃ヘッド３とは、柄側連結部２３の第１凹溝部２４及び第２凹溝部２５と基台側連結部１２の第１突条部１３及び第２突条部１４とがそれぞれ嵌合すると共に、上記第１凹溝部２４の係止凸部２６ａ，２６ｂが第１突条部１３の両外側面の係止凹部１５，１５に係止することにより、清掃ヘッド３の向きが変化する方向に対しても、柄４の傾斜角度が変化する方向に対しても、非常に強固に固定された状態となっている。このため、上記清掃ヘッド３を非常に強い力、例えばモップの何倍もの力で被清掃部に押し付けて清掃しても、柄４の傾斜角度が変化したり、清掃ヘッド３の向きが変わるといったようなことがない。
【００２２】
また、フロアに設けられている排水溝の狭い溝内を清掃する場合や、排水口の周辺部分や狭い口縁部分等を清掃する場合には、上記清掃ヘッド３を、上記第１位置から図７に示すように柄４の延出方向に沿った第２位置に変更し、その状態で清掃を行う。このときの取付位置の変更は、次のようにして行う。
【００２３】
即ち、図４に示すように、上記レバー２８を強く掴んでばね３０の付勢力に抗して上記接続部２２側へ回動させ、柄側連結部２３の第２部分２３ｂを第１部分２３ａから離反させることによって第１凹溝部２４を割り開き、係止凸部２６ａ，２６ｂを第１突条部１３の両側の係止凹部１５，１５から外すことにより、上記柄側連結部２３を基台側連結部１２から分離する。そして、上記清掃ヘッド３の向きを９０度変えて図７に示す第２位置に向け、上記第１部分２３ａを第２突条部１４の一方の側面にあてがうと共に、その係止突部２６ａを一方の係止凹部１５に係合させ、その状態でレバー２８を離す。すると、ばね３０の付勢力で上記第２部分２３ｂが第１部分２３ａ側に変位して上記第２突条部１４の反対側の側面に当接すると共に、係止凸部２６ｂが係止凹部１５に係止するため、第１凹溝部２４が溝形に閉じてこの第２突条部１４に嵌合、係止した状態になる。また、第２凹溝部２５は第１突条部１３に嵌合する。これによって上記柄４と清掃ヘッド３とが、この第２位置に強固に固定される。
【００２４】
従って、上記清掃ヘッド３を強い力で清掃対象に押し付けながら清掃しても、柄４の傾斜角度が変化したり、清掃ヘッド３の向きが変わったりすることがない。しかも、上記レバー２８を直接手で掴んで清掃ヘッド３の方向変更作業を行うことができるため、ボルト・ナットで固定する場合のように、レンチなどの工具を一切使用する必要がなく、作業を簡単且つ迅速に行うことができる。
【００２５】
図９〜図１６は本発明の第２実施例を示すもので、この第２実施例の柄付き清掃具１Ｂは、床面やガラスなどの被清掃部に溜まったり付着したりしている水を掻き集めて除去する水切りワイパーとして構成された例である。従って、この清掃具１Ｂにおいては、清掃ヘッド３の形態が上記第１実施例の清掃具１Ａと相違しており、それに関連して取付機構５の構成も一部相違している。以下に主としてそれらの相違する部分について説明することとする。
【００２６】
上記清掃具１Ｂの清掃ヘッド３は、幅狭で横に細長いヘッド基台１０に、弾性素材からなるプレート状のヘラ部材１１を取り付けたものである。上記ヘッド基台１０は、合成樹脂によって逆Ｕ字形の断面形状を有するように形成されていて、その幅Ｗは高さＨより小さくなっている。また、上記ヘラ部材１１は、スポンジ体（合成樹脂発泡体）や合成樹脂板あるいはゴム板等の弾性素材からなるもので、幅（厚さ）Ｔよりも高さＤが大きくかつ高さＤよりも長さＬが大きい横長矩形状に形成され、その上端が上記ヘッド基台１０のＵ字溝１０ａ内に嵌合して複数のねじ１７でこのヘッド基台１０に固定され、該ヘラ部材１１の下端部は、ヘッド基台１０から下方に延出している。また、このヘラ部材１１は、上記ヘッド基台１０より若干長めに形成され、それをヘッド基台１０に取り付けたとき、その両端部が該ヘッド基台１０から側方に突出するようになっている。
【００２７】
ここで、上記清掃具１Ｂが、厨房のフロアや浴室の床あるいはプールの底などの水切りを行うための、両手である程度の力を加えて水切り作業を行うような比較的大形の水切りワイパーである場合には、上記ヘラ部材１１を、図示したような、一定の肉厚を有する比較的剛性の大きい素材で形成することが望ましく、また、ガラスなどの水滴を除去するための片手で扱うような小形の水切りワイパーである場合には、上記ヘラ部材１１を、柔軟性のある素材により、先端部が薄肉で撓り易い構造にすることが望ましい。
【００２８】
上記清掃ヘッド３におけるヘッド基台１０の上面中央部に形成された基台側連結部１２には、上記第１実施例の場合と同様に、十字状に組み合わされた第１及び第２の２つの突条部１３，１４が、第１突条部１３をヘッド基台１０の長さ方向に向けると共に、第２突条部１４をヘッド基台１０の幅方向に向けた状態で形成されている。しかし、これらの突条部１３，１４の長さは互いに同じではなく、第２突条部１４が第１突条部１３より短く形成されており、その長さは、上記ヘッド基台１０の幅Ｗとほぼ同じかそれより僅かに長い程度である。このように第２突条部１４を短く形成する理由は、この第２突条部１４の長さがあまり長いと、その両端がヘッド基台１０の幅方向の両側に大きく突出し、水切り清掃時にそれが壁に当接するなどして作業の邪魔になり易いためであり、このため、柄４との連結強度を確保し得る範囲内でできるだけ短く形成しているのである。一方の第１突条部１３は、長さに特に制限はなく、連結強度を十分に確保し得る範囲内で必要な長さに形成されている。
【００２９】
そして、上記第１突条部１３及び第２突条部１４の両外側面の下端部近くには、これら両突条部１３，１４が交叉している部分を除く位置に係止凹部１５がそれぞれ形成されている。このうち、第１突条部１３の係止凹部１５，１５は、該第１突条部１３の両側面に切られた溝によって形成され、第２突条部１４の係止凹部１５，１５は、該第２突条部１４の下端部分に形成された段部によって形成されている。しかし、上記第２突条部１４の係止凹部１５，１５も、その側面に設けた溝で形成することができる。
【００３０】
なお、上記突条部１３及び１４は、頂面が丸みを帯びた略Ｕ字形の断面形状を有していても、頂面が平らな角形の断面形状を有するものであっても良い。また、これらの突条部１３及び１４は、中空状であっても中実状であっても構わない。
【００３１】
図中１８は、ヘッド基台１０の上面に形成された補強用のリブであって、上記第１突条部１３の両側から延出してヘッド基台１０の両端部方向に向けて延び、次第に高さが低くなることによって途中で消滅している。このリブ１８は、水切り清掃時に、細長いヘッド基台１０の中央部に柄４からの作業力が集中的に作用したとき、このヘッド基台１０の中央部が変形するのを防止するためのものである。
【００３２】
一方、上記柄４の先端の取付部材２１に形成された柄側連結部２３は、上記第１実施例の場合と同様に、全体としてやや横長の矩形ブロック形をなし、その横方向長さ（柄４の左右方向に沿う長さ）が縦方向長さ（柄４の前後方向に沿う長さ）よりも長く、その下面に十字状に組み合わされた２つの溝状の第１凹溝部２４と第２凹溝部２５とが、第１凹溝部２４を柄４の左右方向に向けると共に、第２凹溝部２５を柄４の前後方向に向けた状態で形成されている。従って、上記第１凹溝部２４の長さは第２凹溝部２５の長さよりも長く、これらの凹溝部２４，２５と上記突条部１３，１４との長さの関係は、第１凹溝部２４は第１突条部１３よりやや短いが第２突条部１４よりはやや長く、第２凹溝部２５は上記第２突条部１４よりはやや短く形成されている。
【００３３】
また、上記柄側連結部２３が第１部分２３ａと第２部分２３ｂとに分割されていて、レバー２８の操作で第２部分２３ｂを支軸２９の回りに回動させることによって第１凹溝部２４を２つに割り開くことができるようになっていることや、ばね３０によって上記第１部分２３ａと第２部分２３ｂとが相互に閉じる方向に付勢されていることも、上記第１実施例の場合と同じである。しかし、上記第１部分２３ａと第２部分２３ｂとに形成された係止凸部２６ａ及び２６ｂは、合成樹脂でこれらの第１部分２３ａ及び第２部分２３ｂと一体に形成されており、この点が、金属プレートを用いて形成した上記第１実施例の場合と相違している。しかしながら、この係止凸部２６ａ及び２６ｂを、第１実施例と同様に金属素材で形成することもできる。
【００３４】
なお、上記第２実施例の上述した構成以外の構成と、清掃ヘッド３の向きを第１位置と第２位置とに変更する場合の操作等については、実質的に第１実施例と同じであるから、それらの同一構成部分に第１実施例と同じ符号付してそれらの説明は省略する。
【００３５】
また、本発明の柄付き清掃具としては、上述したようなデッキブラシや水切りワイパーといったものに限らず、ヘッド基台に雑巾や糸束等を取り付けたモップや、ヘッド基台に薄い拭取シートを装着して使用するフローリングワイパーなどもその範疇に含まれることはいうまでもないことである。
【図面の簡単な説明】
【００３６】
【図１】本発明に係る柄付き清掃具の第１実施形態を示す斜視図で、清掃ヘッドを第１位置に固定した状態を示すものである。
【図２】図１の正面図である。
【図３】図１の側面図である。
【図４】図３において柄と清掃ヘッドとを分離した状態の側面図である。
【図５】図２のＡ−Ａ線での断面図である。
【図６】図２のＢ−Ｂ線での断面図である。
【図７】図１の柄付き清掃具の清掃ヘッドの向きを第２位置に変更した状態を示す要部斜視図である。
【図８】図７の要部断面図である。
【図９】本発明に係る柄付き清掃具の第２実施形態を示す斜視図で、清掃ヘッドを第１位置に固定した状態を示すものである。
【図１０】図１の部分正面図である。
【図１１】図１の側面図である。
【図１２】図１１において柄と清掃ヘッドとを分離した状態の側面図である。
【図１３】図１０のＣ−Ｃ線での断面図である。
【図１４】図１０のＤ−Ｄ線での断面図である。
【図１５】図９の柄付き清掃具の清掃ヘッドの向きを第２位置に変更した状態を示す要部斜視図である。
【図１６】図１５の要部断面図である。
【符号の説明】
【００３７】
１Ａ，１Ｂ      柄付き清掃具
３      清掃ヘッド
４      柄
５      取付機構
１０      ヘッド基台
１１      ヘラ部材
１２      基台側連結部
１３      第１突条部
１４      第２突条部
１５      係止凹溝部
２３      柄側連結部
２３ａ      第１部分
２３ｂ      第２部分
２４      第１凹溝部
２５      第２凹溝部
２６ａ，２６ｂ      係止凸部
２８      レバー
３０      ばね
Ｗ，Ｔ      幅
Ｈ，Ｄ      高さ
Ｌ      長さ
【図１】
2005103246.tif 000003
【図２】
2005103246.tif 000004
【図３】
2005103246.tif 000005
【図４】
2005103246.tif 000006
【図５】
2005103246.tif 000007
【図６】
2005103246.tif 000008
【図７】
2005103246.tif 000009
【図８】
2005103246.tif 000010
【図９】
2005103246.tif 000011
【図１０】
2005103246.tif 000012
【図１１】
2005103246.tif 000013
【図１２】
2005103246.tif 000014
【図１３】
2005103246.tif 000015
【図１４】
2005103246.tif 000016
【図１５】
2005103246.tif 000017
【図１６】
2005103246.tif 000018